(57)【要約】      （修正有）【課題】装着が楽な帯を提供する。【解決手段】帯１００は、身体に巻きつけられ、第１端部と第２端部とを有する巻き帯部２００と、身体の背中側に配置される結び部３００と、巻き帯部２００の第１端部に取り付けられる第１弾性部材４１０と、巻き帯部２００の第２端部に取り付けられる第２弾性部材４２０と、を備え、第１弾性部材４１０と第２弾性部材４２０とが結ばれることにより、身体に装着される。【選択図】図１
0003232323.tif 000002
【実用新案登録請求の範囲】
【請求項１】
身体に巻きつけられる和服用の帯であって、
前記帯は、
身体に巻きつけられ、第１端部と第２端部とを有する巻き帯部と、
身体の背中側に配置される結び部と、
前記巻き帯部の第１端部に取り付けられる第１弾性部材と、
前記巻き帯部の第２端部に取り付けられる第２弾性部材と、を備え、
前記第１弾性部材と前記第２弾性部材とが結ばれることにより、身体に装着される帯。
【請求項２】
身体に巻きつけられる和服用の帯であって、
前記帯は、
身体に巻きつけられ、第１端部と第２端部とを有する巻き帯部と、
身体の背中側に配置される結び部と、
前記巻き帯部の第１端部に取り付けられる第１弾性部材と、
前記巻き帯部の第２端部に取り付けられる第２弾性部材と、
前記第１弾性部材に取り付けられる第１帯紐部材と、
前記第２弾性部材に取り付けられる第２帯紐部材と、を備え、
前記第１帯紐部材と前記第２帯紐部材とが結ばれることにより、身体に装着される帯。
【請求項３】
身体に巻きつけられる和服用の帯であって、
前記帯は、
身体に巻きつけられ、第１端部と第２端部とを有する巻き帯部と、
身体の背中側に配置される結び部と、
前記巻き帯部の第１端部に取り付けられる第１帯紐部材と、
前記巻き帯部の第２端部に取り付けられる第２帯紐部材と、
前記第１帯紐部材及び前記第２帯紐部材の少なくともいずれか一方に、弾性部材が含まれ、前記第１帯紐部材と前記第２帯紐部材とが結ばれることにより、身体に装着される帯。
【請求項４】
身体に巻きつけられる和服用の帯であって、
前記帯は、
身体に巻きつけられ、第１端部と第２端部とを有する巻き帯部と、
身体の背中側に配置される結び部と、
前記巻き帯部の第１端部に取り付けられる第１弾性部材と、
前記巻き帯部の第２端部に取り付けられる第２帯紐部材と、
前記第１弾性部材に取り付けられる第１帯紐部材と、を備え、
前記第１帯紐部材と前記第２帯紐部材とが結ばれることにより、身体に装着される帯。
【請求項５】
前記第２帯紐部材に第２弾性部材が含まれる請求項３記載の帯。
【考案の詳細な説明】
【技術分野】
【０００１】
本発明は、着物や浴衣等の和服用の帯に関する。
【背景技術】
【０００２】
従来、着物や浴衣は、日常的に着られており、帯を締めることは困難なことではなかった。
【０００３】
しかし、一部の人々を除き、洋服が日常的に着られるようになり、着物や浴衣等の和服が日常的に着られなくなった。そのため、帯を締めたり、帯を締め直したりすることが困難であると感じる人達が多くなった。特に、一人で着物等の帯を締めることは、困難と思う人が多くなった。
【０００４】
また、一人で着物等の帯を締めることができた場合であっても、帯を締めるのに非常に時間がかかったり、汗をかいたりして、帯を締めることが非常に大変であった。
【０００５】
そのため、着物等の着付は、着付師等に着付をしてもらう必要があり、費用もかかることから、着物を着たいと思う人が多くても、より一層着物離れが進んでいった。
【０００６】
そして、着物離れが進むにつれてより一層着物の帯を締めたり、帯を締め直したりすることが困難であると感じる人達が多くなった。
【０００７】
そして、着物等の帯を締めることができた場合であっても、帯を綺麗に結ぶのは非常に困難となっていった。
【０００８】
特許文献１では、無端状の帯本体と、帯本体に予め固定される結び部とを有し、帯本体には、帯本体の周長を伸縮可能とする伸縮部が設けられる構成とする、無端状に構成される帯について開示されている。
【０００９】
特許文献２では、帯の両端にゴム付きホックが設けられている帯が開示されている。
【先行技術文献】
【特許文献】
【００１０】
【特許文献１】特開２０１１−２４１５１７号公報
【特許文献２】特開２００３−８９９０４号公報
【考案の概要】
【考案が解決しようとする課題】
【００１１】
しかしながら、特許文献１及び特許文献２に係る発明は、いずれも帯にゴムが取り付けられており、ゴムの伸縮で帯の締め付けがされている。
【００１２】
ゴムの伸縮による帯の締め付けは、微調整が調節できないという問題がある。つまり、ゴムの締め付けによっては、帯の締め付けが緩かったり、きつかったりするという問題がある。
【００１３】
したがって、ゴムの伸縮による帯の締め付けが緩い場合、着付が崩れてしまいやすくなってしまうという問題がある。また、ゴムによる帯の締め付けがきつい場合、苦しくなるという問題がある。
【００１４】
特許文献２に係る発明では、帯が着用された状態で、ホックやゴムが他人から見える場合があり、見た目が綺麗ではないという問題もある。
【００１５】
本発明の目的は、帯の装着を楽にすることである。
【課題を解決するための手段】
【００１６】
本発明に係る和服用帯は、身体に巻きつけられる和服用の帯であって、前記帯は、身体に巻きつけられ、第１端部と第２端部とを有する巻き帯部と、身体の背中側に配置される結び部と、前記巻き帯部の第１端部に取り付けられる第１弾性部材と、前記巻き帯部の第２端部に取り付けられる第２弾性部材と、を備え、前記第１弾性部材と前記第２弾性部材とが結ばれることにより、身体に装着される帯である。
【００１７】
このようなものであれば、弾性部材の弾性力によって帯の締め付けが緩和される。つまり、帯の装着が楽になる。
【００１８】
第１弾性部材と第２弾性部材とが結ばれることにより、第１弾性部材と第２弾性部材とが接続される位置が、容易に調節される。したがって、着付が崩れにくい。また、着付が崩れた場合であっても容易に帯が締め直される。
【００１９】
本発明に係る和服用帯は、身体に巻きつけられる和服用の帯であって、前記帯は、身体に巻きつけられ、第１端部と第２端部とを有する巻き帯部と、身体の背中側に配置される結び部と、前記巻き帯部の第１端部に取り付けられる第１弾性部材と、前記巻き帯部の第２端部に取り付けられる第２弾性部材と、前記第１弾性部材に取り付けられる第１帯紐部材と、前記第２弾性部材に取り付けられる第２帯紐部材と、を備え、前記第１帯紐部材と前記第２帯紐部材とが結ばれることにより、身体に装着される帯である。
【００２０】
このようなものであれば、帯紐部材（第１帯紐部材、第２帯紐部材）と巻き帯部との間に弾性部材（第１弾性部材、第２弾性部材）が介在しているため、第１帯紐部材と第２帯紐部材とが結ばれることによる身体への締め付けが、多少きつくても弾性部材によって締め付けが緩和される。つまり、帯の装着が楽になる。
【００２１】
また、第１帯紐部材と第２帯紐部材とが結ばれる場合、第１帯紐部材と第２帯紐部材とが接続される位置が容易に調節される。
【００２２】
したがって、第１帯紐部材と第２帯紐部材とが結ばれることにより、締め付け具体が調節されるため、例え弾性部材の弾性力が弱まったとしても、帯の締め付けが弱くなり難い。つまり、着物の着くずれが生じ難い。言い換えると、帯の締め具合が容易に調整される。
【００２３】
前記第１弾性部材が前記巻き帯部の前記第１端部の下方及び上方の少なくともいずれか一方に取り付けられ、前記第２弾性部材が、前記第１弾性部材が前記第１端部に取り付けられる配置に合わせて、前記巻き帯部の前記第２端部の下方及び上方のいずれか一方に取り付けられる帯であってもよい。
【００２４】
つまり、第１弾性部材が巻き帯部の下方に配置されている場合、第２弾性部材も巻き帯部の下方に配置され、第１弾性部材が巻き帯部の上方に配置されている場合、第２弾性部材も巻き帯部の上方に配置される。
【００２５】
このようなものであれば、帯の装着者は、前記第１帯紐部材と前記第２帯紐部材とを結んで、前記第１弾性部材及び前記第１帯紐部材と、前記第２弾性部材及び前記第２帯紐部材とを、前記巻き帯部と身体との間に入れた場合、前記弾性部材と前記帯紐部材とが、外見から見え難くなり、見た目が良くなる。
【００２６】
本発明に係る帯は、身体に巻きつけられる和服用の帯であって、前記帯は、身体に巻きつけられ、第１端部と第２端部とを有する巻き帯部と、身体の背中側に配置される結び部と、前記巻き帯部の第１端部に取り付けられる第１帯紐部材と、前記巻き帯部の第２端部に取り付けられる第２帯紐部材と、前記第１帯紐部材及び前記第２帯紐部材の少なくともいずれか一方に、弾性部材が含まれ、前記第１帯紐部材と前記第２帯紐部材とが結ばれることにより、身体に装着される帯である。
【００２７】
「帯紐部材（第１帯紐部材、第２帯紐部材）に弾性部材が含まれる」とは、帯紐部材の一部に弾性部材が含まれる概念である。
【００２８】
つまり、巻き帯部に帯紐部材が取り付けられ、当該帯紐部材に弾性部材が取り付けられ、当該弾性部材に帯紐部材がさらに取り付けられるような構成も含まれる。
【００２９】
このようなものであれば、帯紐部材（第１帯紐部材、第２帯紐部材）に弾性部材（第１弾性部材、第２弾性部材）が含まれているため、第１帯紐部材と第２帯紐部材とが結ばれることによる身体への締め付けが、多少きつくても弾性部材によって締め付けが緩和される。つまり、帯の装着が楽になる。
【００３０】
また、基本的に第１帯紐部材と第２帯紐部材とが結ばれることにより、締め付け具体が調節されるため、例え弾性部材の弾性力が弱まったとしても、帯の締め付けが弱くなり難い。つまり、着物の着くずれが生じ難い。言い換えると、帯の締め具合が容易に調整される。
【００３１】
前記第１帯紐部材が前記巻き帯部の前記第１端部の下方及び上方の少なくともいずれか一方に取り付けられ、前記第２帯紐部材が、前記第１帯紐部材が前記第１端部に取り付けられる配置に合わせて、前記巻き帯部の前記第２端部の下方及び上方のいずれか一方に取り付けられる帯であってもよい。
【００３２】
つまり、第１帯紐部材が巻き帯部の下方に配置されている場合、第２帯紐部材も下方に配置され、第１帯紐部材が巻き帯部の上方に配置されている場合、第２帯紐部材も上方に配置される。
【００３３】
このようなものであれば、帯の装着者は、前記第１帯紐部材と前記第２帯紐部材とを結んで、前記第１弾性部材及び前記第１帯紐部材と、前記第２弾性部材及び前記第２帯紐部材とを、前記巻き帯部と身体との間に入れた場合、前記弾性部材と前記帯紐部材とが、外見から見え難くなり、見た目が良くなる。
【００３４】
本発明に係る帯は、身体に巻きつけられる和服用の帯であって、前記帯は、身体に巻きつけられ、第１端部と第２端部とを有する巻き帯部と、身体の背中側に配置される結び部と、前記巻き帯部の第１端部に取り付けられる第１弾性部材と、前記巻き帯部の第２端部に取り付けられる第２帯紐部材と、前記第１弾性部材に取り付けられる第１帯紐部材と、を備え、前記第１帯紐部材と前記第２帯紐部材とが結ばれることにより、身体に装着される帯である。
【００３５】
このようなものであれば、第１帯紐部材と巻き帯部との間に第１弾性部材が介在しているため、第１帯紐部材と第２帯紐部材とが結ばれることによる身体への締め付けが、多少きつくても第１弾性部材によって締め付けが緩和される。つまり、帯の装着が楽になる。
【００３６】
また、第１帯紐部材と第２帯紐部材とが結ばれることにより、締め付け具体が調節されるため、例え第１弾性部材の弾性力が弱まったとしても、帯の締め付けが弱くなり難い。つまり、着物の着くずれが生じ難い。言い換えると、帯の締め具合が容易に調整される。
【００３７】
前記第２帯紐部材に第２弾性部材が含まれるものであってもよい。このようなものであれば、より一層上記効果が生じる。
【００３８】
なお、弾性部材（第１弾性部材、第２弾性部材）の例としては、ゴムバンドが挙げられる。
【００３９】
また、第１帯紐部材と第２帯紐部材との結び方は、花結び（蝶々結び）が好ましいが、一重つぎ結び、テグス結び、二重テグス結び、本結び、片花結び等どのような結び方であってもよい。
【００４０】
和服用の帯は、女性用の着物、浴衣等だけでなく、男性用の着物、浴衣等も含まれる。
【考案の効果】
【００４１】
本発明であれば、帯の装着を楽にすることができる。
【図面の簡単な説明】
【００４２】
【図１】本発明に係る一実施形態における帯の内面側を表す図。
【図２】同実施形態における帯の外面側を表す図。
【図３】同実施形態における帯の結び部の側面側を表す図。
【図４】同実施形態における和服用帯が着用された状態を表す図。
【図５】同実施形態における帯１００の取付方法を表すフローチャート。
【考案を実施するための形態】
【００４３】
以下、本発明に係る和服用帯の実施形態に関して図面を参照しながら説明する。
【００４４】
図１乃至図３に示すように、本実施形態に係る帯１００は、胴体に巻きつけられる巻き帯部２００と、背中部分に配置される結び部３００と、巻き帯部２００に取り付けられた弾性部材４００と、弾性部材４００に取り付けられる帯紐部材５００と、結び部３００内に配置される帯枕６００と、帯枕６００のｘ軸方向両端に配置される枕紐７００と、を含む。
【００４５】
本実施形態では、帯の結び方が太鼓結びであるため、帯１００は、帯枕６００及び枕紐７００を含む構成となっている。なお、帯枕６００及び枕紐７００が含まれない構成であってもよい。
【００４６】
つまり、帯枕６００及び枕紐７００が帯１００に含まれずに、別途帯枕６００及び枕紐７００が取り付けられる構成であってもよい。なお、帯の結び方によっては、帯枕６００及び枕紐７００は使用されない。
【００４７】
本実施形態では、一般的に使用されている帯を折り畳むことにより、巻き帯部２００及び結び部３００が構成される。結び部３００が構成された状態で、糸等の固定部材（図示しない）により結び部３００が固定されている。
【００４８】
したがって、巻き帯部２００及び結び部３００は、一般的に使用されている帯をそのまま利用して構成される。そのため、糸等の固定部材（図示しない）が取り除かれることにより、通常の帯に戻すことができる。
【００４９】
巻き帯部２００には、その両端に弾性部材４００が取り付けられている。具体的には、弾性部材４００は、巻き帯部２００のｘ軸方向の端部であり、ｙ軸負方向側の面に取り付けられている。
【００５０】
これにより帯１００が装着された際、外見から当該取付部分が見えにくく、帯１００の見た目が綺麗である。
【００５１】
巻き帯部２００のｘ軸負方向側の第１端部２１０に、弾性部材４００である第１弾性部材４１０の一端が取り付けられている。
【００５２】
本実施形態では、第１端部２１０のｚ軸負方向側に、第１弾性部材４１０が取り付けられている。
【００５３】
第１弾性部材４１０の他端には、帯紐部材５００である第１帯紐部材５１０が取り付けられている。
【００５４】
巻き帯部２００のｘ軸正方向側の第２端部２２０には、弾性部材４００である第２弾性部材４２０の一端が取り付けられている。
【００５５】
本実施形態では、第２端部２２０のｚ軸負方向側に、第２弾性部材４２０が取り付けられている。
【００５６】
第２弾性部材４２０の他端には、帯紐部材５００である第２帯紐部材５２０が取り付けられている。
【００５７】
弾性部材４００の巻き帯部２００に取り付けられたところから帯紐部材５００に取り付けられたところまでの長さ（長手方向の長さ）は、特に限定されない。
【００５８】
また、弾性部材４００の巻き帯部２００への取付位置及び取付角度は特に限定されない。
【００５９】
弾性部材４００の例としては、ゴムバンドが挙げられる。本実施形態における弾性部材４００はゴムバンドである。
【００６０】
帯紐部材５００の長手方向の長さは、特に限定されない。また、帯紐部材５００の材質も特に限定されない。
【００６１】
巻き帯部２００のｙ軸負方向側の面が内側となるように、巻き帯部２００が身体の胴回りに巻きつけられ、第１帯紐部材５１０と第２帯紐部材５２０とが結ばれることにより、容易に帯１００が取り付けられる。
【００６２】
また、巻き帯部２００と帯紐部材５００との間に弾性部材４００が取り付けられていることにより、帯１００による身体の締め付け（帯紐部材５００による身体の締め付け）が緩和される。
【００６３】
なお、本実施形態では、巻き帯部２００に弾性部材４００の一端が取り付けられ、弾性部材４００の他端に帯紐部材５００が取り付けられる構成であるが、巻き帯部２００に帯紐部材５００の一端が取り付けられ、帯紐部材５００の他端に弾性部材５００の一端が取り付けられ、弾性部材５００の他端に別の帯紐部材５００がさらに取り付けられるような構成であってもよい。
【００６４】
また、第１帯紐部材５１０及び第２帯紐部材５２０のいずれか一方が含まれない構成であってもよい。
【００６５】
第１帯紐部材５１０及び第２帯紐部材５２０が含まれない構成の場合、第１弾性部材４１０と第２弾性部材４２０とが結ばれる。
【００６６】
第１帯紐部材５１０又は第２帯紐部材５２０が含まれない構成の場合、弾性部材４００と帯紐部材５００とが結ばれる。
【００６７】
また、本実施形態では、巻き帯部２００のｘ軸方向両端に弾性部材４００（第１弾性部材４１０、第２弾性部材４２０）が取り付けられているが、いずれか一方だけに弾性部材４００が取り付けられてもよい。
【００６８】
結び部３００は、帯１００を身体に巻いたときに、身体の背中側に配置される部分である。本実施形態では、帯を折り畳むことにより構成される。なお、本実施形態における結び部３００は、太鼓結びである。
【００６９】
本実施形態は、帯の結び方が太鼓結びであるため、帯枕６００が必要となる。本実施形態における帯１００には、あらかじめ帯１００の結び部３００に帯枕６００及び枕紐７００が糸等の固定部材（図示しない）により取り付けられている。
【００７０】
あらかじめ帯枕６００及び枕紐７００が結び部３００内に取り付けてられていることにより、装着者は帯枕６００及び枕紐７００を別途取り付ける必要がない。
【００７１】
帯枕６００は、結び部３００内に取り付けられている。帯枕６００のｘ軸方向の両端には、枕紐７００が配置されている。なお、本実施形態では、一本の布の中に帯枕６００が配置され、帯枕６００のｘ軸方向両端の布が枕紐７００となっているが、帯枕６００に直接枕紐７００が取り付けられる構成であってもよい。
【００７２】
また、帯枕６００には、帯揚げ８００が取り付けられていてもよい。
【００７３】
（帯１００の取付方法）
帯１００の取付方法を図４のフローチャートを用いて説明する。まず、帯１００の巻き帯部２００におけるｙ軸負方向側の面が身体に巻きつけられる（ステップＳ１１）。
【００７４】
この際、結び部２００が身体の背中側に配置されるように、巻き帯部２００が身体に巻きつけられる。
【００７５】
第１帯紐部材５１０及び第２帯紐部材５２０が、身体の側面から前方にもってこられ、身体の前方で第１帯紐部材５１０と第２帯紐部材５２０とが結ばれる（ステップＳ１２）。
【００７６】
結ばれた第１帯紐部材５１０及び第２帯紐部材５２０は、巻き帯部２００と身体の間に入れられる（ステップＳ１３）。
【００７７】
これにより、第１帯紐部材５１０及び第１弾性部材４１０と、第２帯紐部材５２０及び第２弾性部材４２０とは、外見上見えにくい。
【００７８】
同様に、第１枕紐７１０及び第２枕紐７２０が、身体の側面側から前方にもってこられ、身体の前方で第１枕紐７１０と第２枕紐７２０とを結ぶ（ステップＳ１４）。
【００７９】
結ばれた第１枕紐７１０及び第２枕紐７２０は、巻き帯部２００と身体の間に入れられる（ステップＳ１５）。
【００８０】
これにより、第１枕紐７１０及び第２枕紐７２０は、外見上見えにくい。
【００８１】
結び部３００内に帯揚げ８００が側方向から入れられ、帯揚げ８００が身体の前方で、帯揚げ８００の端部同士が結ばれる（ステップＳ１６）。
【００８２】
図５に示すように、帯揚げ８００の端部同士が結ばれ、余った端部は巻き帯部２００と身体の間に入れられる（ステップＳ１７）。
【００８３】
図５に示すように、帯１００の上下方向の略中央部に帯締め９００が取り付けられる（ステップＳ１８）。
【００８４】
このような帯１００であれば、通常の帯と外見上変わらず美しく着物が着られる。
【００８５】
本実施形態における帯１００は、太鼓結びであるが、帯の結び方は、角だし結び、文庫結び、貝の口結び、片蝶結び、一文字結び、のし結び、しだれ桜結び、蝶結び、蝶々結び、スイートピー結び、アネモネ結び、マリーゴールド結び、アイリス結び、フリージア結び、なでしこ結び等どのような結び方であってもよい。
【００８６】
また、帯の結び方は振袖に用いられる結び方であってもよい。つまり、帯の結び方は、ふくら雀結び、花結び、立て矢結び、蝶文庫結び、花流水結び等であってもよい。
【００８７】
また、本発明は、男性の帯にも用いることができる。つまり、帯の結び方が男結びであってもよい。また、巻き帯部２００は、粘着テープ等で固定されるものであってもよい。
【００８８】
本発明は、その趣旨を逸脱しない範囲で種々の改良、修正、又は変形を加えた態様でも実施できる。
【符号の説明】
【００８９】
１００…帯
２００…巻き帯部
３００…結び部
４００…弾性部材
４１０…第１弾性部材
４２０…第２弾性部材
５００…帯紐部材
５１０…第１帯紐部材
５２０…第２帯紐部材
６００…帯枕
７００…枕紐
８００…帯揚げ
９００…帯締め
【図１】
0003232323.tif 000003
【図２】
0003232323.tif 000004
【図３】
0003232323.tif 000005
【図４】
0003232323.tif 000006
【図５】
0003232323.tif 000007